(57)【要約】【課題】薄型で、かつ、光源の光を有効に利用でき、しかも照光面を点光りのない状態で発光させることができる遊技機用押しボタンを実現する。【解決手段】遊技機用押しボタン１０は、押下を受け付ける操作キー１２と、前記操作キー１２の外周部に沿って配設された複数のＬＥＤ２５と、操作キー１２の外周部を囲うように設けられた照光面４０を有し、複数のＬＥＤから照射された光を導光して照光面４０より出射する導光体部３１とを備え、複数のＬＥＤ２５は、各ＬＥＤ２５の光出射面２５ａを照光面４０に向く方向とは異なる方向に向けて配置されている。【選択図】図５
2020146279.tif 000002
【特許請求の範囲】
【請求項１】
遊技機に搭載される遊技機用押しボタンであって、
押下を受け付ける操作キーと、
前記操作キーの外周部に沿って配設された複数の光源と、
前記操作キーの外周部を囲うように設けられた照光面を有し、前記複数の光源から照射された光を導光して前記照光面より出射する導光部と、を備え、
前記複数の光源は、各光源の光出射面を前記照光面に向く方向とは異なる方向に向けて配置されている遊技機用押しボタン。
【請求項２】
前記複数の光源は、各光源の光出射面を前記操作キーの押下方向に向けて配設されている請求項１に記載の遊技機用押しボタン。
【請求項３】
前記導光部の前記各光源の光が入射する面とは反対の裏面側に、前記導光部より出射される光を前記導光部内に戻す反射部材を備える請求項１又は２に記載の遊技機用押しボタン。
【請求項４】
前記反射部材は、前記導光部より出射される光を拡散させて前記導光部内に戻す拡散機能を有している請求項３に記載の遊技機用押しボタン。
【請求項５】
前記導光部は、前記各光源の光が入射する箇所に、前記各光源から照射された光の一部を各々の隣に配置された別の光源の位置する方向へ反射する反射構造部を有している請求項１から４の何れか１項に記載の遊技機用押しボタン。
【請求項６】
前記反射構造部は、前記導光部における前記各光源の光が入射する箇所の裏面に設けられたＶ字溝である請求項５に記載の遊技機用押しボタン。
【請求項７】
複数の光源と、
照光面を有し、前記複数の光源から照射された光を導光して前記照光面より出射する導光部と、を備え、
前記複数の光源は、各光源の光出射面を前記照光面に向く方向とは異なる方向に向けて配置されている照光装置。
【発明の詳細な説明】
【技術分野】
【０００１】
本発明は、遊技機用押しボタンおよび照光装置に関し、より詳細には照光面の点光り解消の技術に関する。
【背景技術】
【０００２】
カジノ等の遊技施設には、様々な遊技機メーカが作製したスロットマシン等の遊技機が複数設置され、遊技者は好みの遊技機を選択して遊技を行う。そのため、遊技機には、遊技者を引き付けて遊技を行いたいと思わせるアピール性が必要となる。
【０００３】
遊技機において、操作部は遊技者が対峙する前面（正面）の外観上目立つ位置に設けられると共に、遊技者が直接操作する部分である。そのため、操作部は遊技者に対して遊技機をアピールする重要な部分で、操作部に配置される押しボタン（遊技機用押しボタン）もまた遊技機をアピールする重要な部品である。
【０００４】
例えば、特許文献１に開示されているように、遊技者にスロットマシンをアピールするために、スロットマシンに搭載された押しボタンを発光させることが行われている。特許文献１に開示された技術では、光源（発光素子）から出射された光が拡散シートを介して操作面に照射され、当該操作面（照光面）を発光させる構成となっている。
【先行技術文献】
【特許文献】
【０００５】
【特許文献１】特開２００７−３１７３８０号公報
【発明の概要】
【発明が解決しようとする課題】
【０００６】
特許文献１に開示されている技術では、光源から距離を隔てて拡散シートを配置し、光源から出射された光を自然拡散させた後、拡散シートにてさらに拡散させている。このような構成では、光源と拡散シートとの間の距離を十分に確保することで点光りを防止できる。点光りとは、光源が存在する部分が他の部分よりも明るく見える現象である。
【０００７】
しかしながら、この場合、光源から照光面までの距離が自ずと長くなり、照光面を操作面とした場合、押しボタンの厚みが大きくなり薄型化が図れない。また、操作面を全体的に光らせる構成においては適しているが、例えば押しボタンの側面や周囲だけを照光面とする構成の場合、光源から出射された光のうち、遊技者に視認される光の割合が少なく、光源の光を有効に利用できないといった問題もある。
【０００８】
本発明の一態様は、薄型で、かつ、光源の光を有効に利用でき、しかも照光面を点光りのない状態で発光させることができる遊技機用押しボタンおよび照光装置を実現することを目的とする。
【課題を解決するための手段】
【０００９】
上記の課題を解決するために、本開示の一態様に係る遊技機用押しボタンにおいては、遊技機に搭載される遊技機用押しボタンであって、押下を受け付ける操作キーと、前記操作キーの外周部に沿って配設された複数の光源と、前記操作キーの外周部を囲うように設けられた照光面を有し、前記複数の光源から照射された光を導光して前記照光面より出射する導光部と、を備え、前記複数の光源は、各光源の光出射面を前記照光面に向く方向とは異なる方向に向けて配置されている。
【００１０】
上記構成によれば、複数の光源が、各光源の光出射面を照光面に向く方向とは異なる方向に向けて配置されているので、照光面を介して光出射面が視認されることはなく、光源が存在する部分が明るく見える点光りを確実に防止することができる。そして、導光部を用いて光源の光を照光面に導いて出射させるので、光源の光を有効に利用することができ、また、自然拡散や自然拡散に拡散シートを組み合わせて用いる構成に比べて、拡散のための経路を長く確保する必要もなく、薄型化が図れる。
【００１１】
本開示の一態様に係る遊技機用押しボタンにおいては、さらに、前記複数の光源は、各光源の光出射面を前記操作キーの押下方向に向けて配設されている構成とすることもできる。上記構成によれば、複数の光源が、各光源の光出射面を前記照光面に向く方向とは異なる方向に向けて配置された構成を容易に実現できる。遊技者は操作キーの押下方向を視線の方向として当該押しボタンを視認するので、このような向きで複数の光源を配置することで、点光りを確実に防止することができる。
【００１２】
本開示の一態様に係る遊技機用押しボタンにおいては、さらに、前記導光部の前記各光源の光が入射する面とは反対の裏面側に、前記導光部より出射される光を前記導光部内に戻す反射部材を備える構成とすることもできる。上記構成によれば、導光部の裏側に漏れる光が反射部材にて内部に戻されるので、光漏れによる損失を低減して、より一層光を有効に利用することができる。
【００１３】
本開示の一態様に係る遊技機用押しボタンにおいては、さらに、前記反射部材は、前記導光部より出射される光を拡散させて前記導光部内に戻す拡散機能を有している構成とすることもできる。上記構成によれば、導光部の裏側に漏れる光が反射部材にて拡散された上で内部に戻されるので、導光部内を伝播する光に様々な角度が付与され、光源から離れた部分へも光を効果的に伝播することができる。その結果、照光面において光源の光が届き難いために他の部分よりも暗く見えるダークスポットの発生を抑制することができる。
【００１４】
本開示の一態様に係る遊技機用押しボタンにおいては、さらに、前記導光部は、前記各光源の光が入射する箇所に、前記各光源から照射された光の一部を各々の隣に配置された別の光源の位置する方向へ反射する反射構造部を有している構成とすることもできる。上記構成によれば、反射構造部にて、各光源から照射された光の一部は隣に配置された別の光源の位置する方向へ反射されるので、照光面において光源の光が届き難いために他の部分よりも暗く見えるダークスポットの発生を抑制して、より均一な照光面を実現できる。
【００１５】
本開示の一態様に係る遊技機用押しボタンにおいては、さらに、前記反射構造部は、前記導光部における前記各光源の光が入射する箇所の裏面に設けられたＶ字溝である構成とすることもできる。上記構成によれば、反射構造部を容易に実現できる。
【００１６】
本開示の一態様に係る照光装置は、複数の光源と、照光面を有し、前記複数の光源から照射された光を導光して前記照光面より出射する導光部と、を備え、前記複数の光源は、各光源の光出射面を前記照光面に向く方向とは異なる方向に向けて配置されている。
【００１７】
上記構成によれば、複数の光源が、各光源の光出射面を前記照光面に向く方向とは異なる方向に向けて配置されているので、照光面を介して光出射面が視認されることはなく、光源が存在する部分が明るく見える点光りを確実に防止することができる。そして、導光部を用いて光源の光を照光面に導いて出射させるので、光源の光を有効に利用することができ、また、自然拡散や自然拡散に拡散シートを組み合わせて用いる構成に比べて、拡散のための経路を長く確保する必要もなく、薄型化が図れる。
【発明の効果】
【００１８】
本発明の一態様によれば、薄型で、かつ、光源の光を有効に利用でき、しかも照光面を点光りのない状態で発光させることができる遊技機用押しボタンおよび照光装置を実現することができる。
【図面の簡単な説明】
【００１９】
【図１】（ａ）は、本発明の実施形態１に係る押しボタンが搭載されているスロットマシンの斜視図であり、（ｂ）はスロットマシンの上面図である。
【図２】（ａ）は上記押しボタンの平面図、（ｂ）は正面図、（ｃ）は側面図である。
【図３】上記押しボタンの分解斜視図である。
【図４】図２の（ａ）のＡ−Ａ線矢視断面図である。
【図５】上記押しボタンにおける導光経路を説明する図である。
【図６】上記押しボタンの分解斜視図であり、ベゼルからＬＥＤ基板までが組み付けられた途中部品と、ベースと、反射シートとを分けて示している。
【図７】図２の（ａ）のＢ−Ｂ線矢視断面図であり、反射構造部が設けられた部分における光の経路を示す。
【図８】本発明の実施形態２に係る照光装置の基本構成を示す一部断面斜視図である。
【図９】（ａ）（ｂ）は、照光装置５０を利用して構成可能な変形例の照光装置の概略構成を示す斜視図である。
【図１０】光拡散の理論値を説明する図である。
【発明を実施するための形態】
【００２０】
〔実施形態１〕
以下、本開示の一側面に係る実施の形態（以下、「本実施形態」とも表記する）を、図面に基づいて説明する。本実施形態では、本開示の遊技機用押しボタンの一態様として、スロットマシンなどの遊技機に搭載された遊技機用押しボタンを例示する。
【００２１】
§１  適用例
まず、図１、図２の（ａ）〜（ｃ）、図５、図６を用いて、遊技機用押しボタン１０（以下、押しボタン１０）が適用される場面の一例について説明する。図１の（ａ）は、押しボタン１０が搭載されているスロットマシン１の斜視図であり、（ｂ）はスロットマシン１の上面図である。
【００２２】
図１の(ａ)（ｂ）に示すように、遊技機としてのスロットマシン１は、筐体４の上部の遊技者の目線に当たる位置に表示モニター２が設けられ、表示モニター２の下方の筐体４の下部前側（遊技者側）に操作部３が設けられている。
【００２３】
操作部３は、筐体４の下部の前方に迫り出した突出部分の上面に設けられ、図示しないＬＣＤ等の表示装置が配置されている。押しボタン１０は、表示装置の表示画面に重なるように設置されており、操作キー１２越しに表示装置の表示画面の内容を視認可能となっている。
【００２４】
図２の（ａ）〜（ｃ）に示すように、押しボタン１０は、ベース３０、ベゼル１１、およびこれらの間に押下可能に支持された操作キー１２を有する。ベース３０は導光体より構成された導光体部（導光部）３１を有し、導光体部３１の外周面（外側面）３１ａが光を発する照光面４０となっている。
【００２５】
図６に示すように、導光体部３１に光を供給する光源としてのＬＥＤ２５は、操作キー１２の外周部に沿うように複数配設されている。そして、複数のＬＥＤ２５は、各ＬＥＤ２５の光出射面２５ａを照光面４０に向く方向とは異なる方向に向けて配置されている。図５の例では、複数のＬＥＤ２５は、光出射面２５ａを操作キー１２の押下方向に向けて配設されている。
【００２６】
このような構成とすることで、照光面４０を介して光出射面２５ａが視認されることはなく、点光りを確実に防止できる。また、自然拡散を利用する場合のように、拡散のために光路を長く確保する必要がないので、薄型にできる。しかも、導光体部３１にて光を伝播して照光面４０から取り出すようにしているので、各ＬＥＤ２５から出射された光を有効に利用することができる。これにより、薄型で、かつ、光源の光を有効に利用でき、しかも照光面を点光りのない状態で発光させることができる。特に、遊技者は操作キーの押下方向を視線の方向として当該押しボタンを視認するので、光出射面２５ａを操作キー１２の押下方向に向けて配置することで、点光りを確実に防止することができる。
【００２７】
§２  構成例
（押しボタン１０の構成）
本開示の一態様の押しボタン１０の概略構成について説明する。図２の（ａ）は押しボタン１０の平面図、図２の（ｂ）は正面図、図２の（ｃ）は側面図である。図２の（ａ）〜（ｃ）に示すように、押しボタン１０は、平面視において略三角形をなす薄型の押しボタンである。
【００２８】
押しボタン１０は、ベゼル１１とベース３０と、これらの間に押下操作可能に支持された操作キー１２を有する。押しボタン１０は、例えば１４ｍｍ程度の厚さ（押下方向の寸法）に設計されている。なお、本発明の押しボタンにおいて、平面視した場合の形状は、略三角形に限るものではない。また、本実施形態では、押しボタン１０が水平面に配置されたと仮定して、押下方向を下方、復帰方向を上方として説明する。
【００２９】
図３は押しボタン１０の分解斜視図である。図４は、図２の（ａ）のＡ−Ａ線矢視断面図である。図３、図４に示すように、押しボタン１０は、上述したベゼル１１、ベース３０、および操作キー１２の他に、機構部品１３、プレート１６、感圧センサ基板１７、スペーサ１８、ＬＥＤ基板１９および反射シート２０等を備えている。
【００３０】
ベゼル１１は、押しボタン１０の上面の一部および側面をカバー（保護）するためのカバー部材である。ベゼル１１は、操作キー１２の外周部に設けられ、操作キー１２の中央部が押下方向に移動する開口１１ａを有する。
【００３１】
操作キー１２は、押下操作を受け付ける操作部であり、透明材料より形成され、中央部が肉厚に形成されている。操作キー１２の裏側には、ベース３０の後述するガイド壁３２ａが入り込む溝部１２ａが形成されており、ガイド壁３２ａに沿って上下動する。操作キー１２の上方への移動は、ベゼル１１にて規制されている。
【００３２】
操作キー１２の外周部には防水パッキン１４が一体に設けられている。ベゼル１１とベース３０とを、それらの間に防水パッキン１４を挟持した状態で、ネジ(図示しない)等で固定することで、押しボタン１０内部への液体の侵入が防止される。
【００３３】
機構部品１３は、バネおよびゴムを含み、バネにて押下された操作キー１２を復帰させ、ゴムにて操作キー１２の押下時にクリック感を与えるものである。感圧センサ基板１７は、操作キー１２の押下を検出する押圧センサ（図示せず）を備え、プレート１６を介して操作キー１２の裏側に配設される。
【００３４】
ＬＥＤ基板１９は、光源としてのＬＥＤ２５を複数備えている。複数のＬＥＤ２５は、各ＬＥＤ２５の光出射面２５ａを照光面４０に向く方向とは異なる方向に向けて配置されている。本実施形態では、複数のＬＥＤ２５は、ＬＥＤ基板１９の裏面であるベース３０と対向する面に搭載されており、光を照射する光出射面２５ａを操作キー１２の押下方向である下方に向けて配設されている。
【００３５】
ベース３０は、操作キー１２およびベゼル１１を支持するものである。ベース３０は外周部に収容室３０ａを有し、収容室３０ａに上述した機構部品１３、プレート１６、感圧センサ基板１７、スペーサ１８およびＬＥＤ基板１９が収容される。
【００３６】
ベース３０は、外周部の導光体部３１、その内側の遮光体部３２、および中央の透明体部３３の３つの部分から構成されている。導光体部３１は、導光体より形成され、複数のＬＥＤ２５から出射された光が導入され、導入された光を、内部を伝播させて外周面３１ａへ導くものである。本実施形態では、導光体部３１の外周面３１ａが押しボタン１０における照光面４０となっている。照光面４０には、導光体部３１内部の光を外部に取り出すための光拡散処理（例えば、微細な凹凸を形成する処理）が施されている。
【００３７】
また、導光体部３１には、各ＬＥＤ２５の光が入射する箇所に、後述する反射構造部３５が設けられている。本実施形態では、反射構造部３５は、導光体部３１における各ＬＥＤ２５の光が入射する箇所の裏面に設けられたＶ字溝より構成されている。
【００３８】
遮光体部３２は、遮光体より形成され、導光体部３１より内周側に向かって漏れる光を遮蔽するものである。上述した収容室３０ａは、導光体部３１と遮光体部３２との境界線を含むように設けられている。遮光体部３２に、操作キー１２の押下時および復帰時に操作キー１２の上下動をガイドするガイド壁３２ａが形成されている。透明体部３３は、透明体より形成され、押しボタン１０の下方に設置される表示装置の画面の視認を可能にするものである。
【００３９】
反射シート（反射部材）２０は、導光体部３１より外部に漏れ出た光を導光体部３１内部に戻すものである。反射シート２０としては、導光体部３１より漏れ出たす光を拡散させて戻す拡散機能を有する、例えば乳白色のシート等が好ましい。
【００４０】
（導光経路および点光り防止構造）
図５を用いて、導光経路および点光り防止構造について説明する。図５は、押しボタン１０における導光経路を説明する図である。図５に示すように、ＬＥＤ２５はＬＥＤ基板１９の裏面に搭載されており、光出射面２５ａを操作キー１２の押下方向である下方に向けて配設されている。光出射面２５ａは、導光体部３１に近接して配されており、ＬＥＤ２５より出射された光は、導光体部３１における光出射面２５ａと対向して配置された部分から内部に導入される。
【００４１】
導入された光のうち、導光体部３１の裏面に傾きを持つ光は、導光体部３１内部を入射面（ＬＥＤ２５側の面）と裏面との間を全反射しながら内部を伝播し、外周面３１ａである照光面４０に到達すると外部に出射される。また、直接あるいは反射して遮光体部３２に到達した光は、遮光体部３２に吸収される。これにより、押しボタン１０の内側に光が漏れることを阻止することができる。
【００４２】
また、導入された光のうち、導光体部３１の裏面に傾きを持つことなく垂直に入射した光は、反射シート２０にて拡散された上で導光体部３１内部に戻される。導光体部３１より出射した光を内部に戻すことで、光の有効利用が可能となる。また、拡散されることで裏面に対して角度が付与されることとなり、入射面と裏面との間を全反射しながら伝播し、照光面４０に到達して出射される。つまり、拡散されることで、導光体部３１内を伝播する光に様々な角度が付与され、ＬＥＤ２５から離れた部分へも光を効果的に伝播することができる。これにより、照光面４０においてＬＥＤ２５の光が届き難いために他の部分よりも暗く見える後述するダークスポットの発生を抑制することができる。なお、図５では、ＬＥＤ２５より傾きを持って入射した光の導光経路のみを記載しており、反射シート２０にて拡散されることで傾きを持った光および遮光体部３２に向かう光の導光経路については記載を省略している。
【００４３】
このように、本実施形態では、複数のＬＥＤ２５から出射された光は、導光体部３１の入射面から高効率に内部に取り込まれ、導光体部３１内部を伝播して照光面４０へと導かれる。これにより、光源から出射された光を有効に利用することができる。
【００４４】
そして、本実施形態では、複数のＬＥＤ２５を、各ＬＥＤ２５の光出射面２５ａを照光面４０に向く方向とは異なる方向に向けて配置されているので、照光面４０を介してＬＥＤ２５が視認されることがなく、点光りを確実に防止することができる。
【００４５】
（ダークスポットの発生抑制構造）
次に、図６、図７を用いて、ダークスポットの発生抑制構造について説明する。ダークスポットとは、照光面４０においてＬＥＤ２５の光が届き難いために他の部分よりも暗く見える部分のことである。図６は、押しボタン１０の分解斜視図であり、ベゼル１１からＬＥＤ基板１９までが組み付けられた途中部品と、ベース３０と、反射シート２０とを分けて示している。図７は、図２の（ａ）のＢ−Ｂ線矢視断面図であり、反射構造部３５が設けられた部分における光の経路を示す。
【００４６】
図６、図７に示すように、ベース３０における導光体部３１には、ＬＥＤ基板１９に搭載された各ＬＥＤ２５の光が入射する箇所に、反射構造部３５が設けられている。反射構造部３５は、各ＬＥＤ２５から照射された光の一部を各々の隣に配置された別のＬＥＤ２５のある方向へ反射するものである。本実施形態では、反射構造部３５は、導光体部３１における各ＬＥＤ２５の光が入射する箇所の裏面に設けられたＶ字溝より構成されている。
【００４７】
図７に示すように、反射構造部３５が設けられることで、ＬＥＤ２５から下方に照射され、本来であれば真っ直ぐに裏面を抜けるような傾きを持たない光であっても、反射構造部３５に角度を持って当たることとなり、裏面に抜けにくくなる。これにより、原理的には、反射シート２０がなくても、光が裏面より抜け出るのを抑制して、ＬＥＤ２５の光を有効利用できる。
【００４８】
しかも、このような反射構造部３５は、各ＬＥＤ２５から照射された光の一部を各々の隣に配置された別のＬＥＤ２５の位置する方向へ反射するので、ＬＥＤ２５とＬＥＤ２５との間の光が届き難い部分にまで光を送ることができる。これにより、ＬＥＤ２５の光が届き難いために暗く見えるダークスポットの発生を効果的に低減して、照光面を均一に照光することができる。
【００４９】
（効果）
以上のように、上記構成では、複数のＬＥＤ２５を、光出射面２５ａを照光面４０に向く方向とは異なる方向に向けて配置することで点光りを確実に防止することができる。また、導光体部３１を用いて照光面４０まで光を導くことで、光を有効に利用することができる。さらに、反射シート２０で導光体部３１からの光漏れを抑制すると共に、反射構造部３５にてダークスポットの発生を低減させている。ダークスポットは、導光体部３１の裏面側全体に配置され、拡散機能を有する反射シート２０と、反射構造部３５との作用にて効果的に低減される。
【００５０】
これにより、薄型で、かつ、ＬＥＤ２５の光を有効に利用でき、しかも照光面４０を点光りもダークスポットもない均一な状態で発光させることができる。
【００５１】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【００５２】
実施形態１では、薄型で、かつ、光源の光を有効に利用でき、しかも照光面を点光りのない状態で発光させることが可能な構成を遊技機用押しボタン１０に適用したが、照光装置に適用することもできる。
【００５３】
図８は、本実施形態に係る照光装置５０の基本構成を示す一部断面斜視図である。図８に示すように、照光装置５０は、複数のＬＥＤ２５を搭載したＬＥＤ基板５１、導光体部５２、遮光体部５３、反射シート２０等を備えている。ＬＥＤ基板５１は長尺状を成し、複数のＬＥＤ２５が少なくとも１列、長手方向に並んで配置されている。導光体部５２は、ＬＥＤ基板５１を囲い込むように断面コの字状に形成され、コの字状に対向する一方の壁部５２ａが照光面４０となっている。
【００５４】
複数のＬＥＤ２５は、各ＬＥＤ２５の光出射面２５ａを照光面４０に向く方向とは異なる方向に向けて配置されており、具体的には、コの字状に対向する他方の壁部５２ｂに光出射面２５ａを向けて配設されている。他方の壁部５２ｂにおける各ＬＥＤ２５の光が入射する箇所には反射構造部３５が設けられている。また、他方の壁部５２ｂの端部には遮光体部５４が配設され、他方の壁部５２ｂの裏面には反射シート２０が配設されている。
【００５５】
このような構成とすることで、複数のＬＥＤ２５から出射された光は、導光体部５２の他方の壁部５２ｂから高効率に内部に取り込まれ、内部を伝播しながら照光面４０へと導かれ出射される。ここでも、複数のＬＥＤ２５は、光出射面２５ａを照光面４０に向く方向とは異なる方向に向けて配置されているので、照光面４０を介してＬＥＤ２５が視認されることがなく点光りを確実に防止することができる。
【００５６】
また、反射シート２０にて光漏れを防ぐと共に光を拡散させ、かつ、反射構造部３５にてＬＥＤ２５間のＬＥＤ２５が存在しない部分へ光を送ることで、ダークスポットの発生を効果的に低減することができる。
【００５７】
これにより、薄型で、かつ、ＬＥＤ２５の光を有効に利用でき、しかも照光面４０を点光りもダークスポットもない均一な状態で発光させることができる照光装置５０を実現することができる。
【００５８】
図９の（ａ）（ｂ）は、照光装置５０を利用して構成可能な変形例の照光装置の概略構成を示す斜視図である。図９の（ａ）に示すように、照光装置５０を複数並べて配置することで、ライン状に限らない、矩形や正方向等の所望の形状の照光装置を得ることができる。また、図９の（ｂ）に示すように、照光装置５０を複数枠状に配置することで、枠型の照光装置を得ることができる。
【００５９】
ここで、図１０を用いて、照光装置の厚さ（厚み方向の寸法）について説明する。図１０は、光拡散の理論値を説明する図である。図１０に示すように、隣り合う２つのＬＥＤ２５の離間距離をＬ、隣り合う２つのＬＥＤ２５からの各光が交差する距離をＨ、２つのＬＥＤ２５の拡散角を共にθとする。このような関係においては、ｔａｎ（θ／２）＝（Ｌ／２）/Ｈが成り立ち、Ｈ＝０．５Ｌ／ｔａｎ（θ／２）となる。距離Ｈは、理論上、ダークスポットがなくなる距離である。つまり、距離Ｈに拡散シートを配置することで、ダークスポットの無い照光面が得られる。
【００６０】
しかしながら、ＬＥＤ２５は、光出射面２５ａの法線方向の光が最も強く、法線方向から傾きを持った外側に光は弱いため、実際には距離Ｈよりも離して拡散シートを配置する必要がある。しかも、拡散シートを配置したとしても、ＬＥＤ２５が存在する部分が明るく視認されないようにするには、さらに離して拡散シートを配置する必要がある。
【００６１】
例えば、ＬＥＤ２５の拡散角θを１００°、離間距離Ｌを１５〜２０ｍｍとすると、距離Ｈは６．２９〜８．３９ｍｍとなる。つまり、拡散シートは、ＬＥＤ２５から最低６．２９〜８．３９ｍｍ離して設置する必要があり、点光りを防止するためにはさらに離して設置する必要がある。そのため、自然拡散および拡散シートを用いる構成では、照光装置の厚みが増加する。
【００６２】
これに対し、ＬＥＤ２５を視認不可能な位置に配置し、導光体部５２にて照光面４０にまで光を導くことで点光りを防止する構成では、距離Ｈを確保する必要がないため、照光装置５０ように厚みを薄くできる。コの字状の導光体部５２の厚み（高さ）を、機械的強度と導光性を考慮した上で可能な限り小さくすることで、ＬＥＤ２５の拡散角θおよび離間距離Ｌの条件を同じとした場合、自然拡散と拡散シートを用いる構成の６．２９〜８．３９ｍｍよりも十分に薄くすることができる。
【符号の説明】
【００６３】
１  スロットマシン（遊技機）
２  表示モニター
３  操作部
４  筐体
１０  遊技機用押しボタン
１１  ベゼル
１１ａ  開口
１２  操作キー
１２ａ  溝部
１３  機構部品
１４  防水パッキン
１６  プレート
１７  感圧センサ基板
１９、５１  ＬＥＤ基板
２０  反射シート
２５  ＬＥＤ（光源）
２５ａ  光出射面
３０  ベース
３１、５２  導光体部（導光部）
３１ａ  外周面
３２、５４  遮光体部
３３  透明体部
３５  反射構造部
４０  照光面
５０  照光装置
５２ａ、５２ｂ  壁部
【図１】
2020146279.tif 000003
【図２】
2020146279.tif 000004
【図３】
2020146279.tif 000005
【図４】
2020146279.tif 000006
【図５】
2020146279.tif 000007
【図６】
2020146279.tif 000008
【図７】
2020146279.tif 000009
【図８】
2020146279.tif 000010
【図９】
2020146279.tif 000011
【図１０】
2020146279.tif 000012